(57)【特許請求の範囲】
【請求項１】
外槽と、外槽内に設けられる洗濯構造と、外槽外部に設けられる水の凝集処理装置とを含み、前記水の凝集処理装置は、外槽から排出される水を凝集処理する凝集槽を含む自己循環凝集洗濯機であって、
洗濯機に外槽中の洗濯水を下から上へ自己循環させる循環管がさらに設けられ、
前記循環管の一端は外槽の上部の自己循環取水口と通じ、前記循環管の他端は前記外槽の底部の自己循環出水口と通じ、
前記凝集槽の戻り口は、管路を介して前記外槽の上部の前記自己循環取水口と連通し、
前記自己循環取水口は、三方管を介して前記循環管の一端および前記戻り口と連通し、
前記三方管と前記凝集槽の戻り口との間に、凝集水の逆流を防止する逆流防止構造が設けられ、
前記外槽の底部に形成された出水口は、管路を介して前記凝集槽の取水口と連通し、
前記戻り口および排水口が、前記凝集槽の底部に形成されていることを特徴とする洗濯機。
【請求項２】
水の凝集処理装置は、凝集処理後の水をろ過して、凝集物を分離するろ過装置をさらに含み；ろ過装置の出水口は三方管と通じ、前記逆流防止構造はろ過装置の出水口部分に設けられることを特徴とする、請求項１に記載の洗濯機。
【請求項３】
前記逆流防止構造は逆流防止ガスケットであり、逆流防止ガスケットは円環状を呈し、ろ過装置出水口の管壁に嵌着される取付部と、円盤状を呈し、ろ過装置出水口を覆う逆止部とを含み、取付部および逆止部は接続柱により接続され、前記接続柱は弾性変形することができる可撓性の材質であることを特徴とする、請求項２に記載の洗濯機。
【請求項４】
前記逆流防止構造が、出水口の導通、遮断を制御する制御弁であるか、または出水口の水流方向をろ過装置から三方管方向に流動するように制御する逆止弁であることを特徴とする、請求項２に記載の洗濯機。
【請求項５】
前記循環管の一端が三方管を介して外槽の上部の自己循環取水口と、ろ過装置の出水口とにそれぞれ通じ、前記循環管に、自己循環水流に動力を提供する循環ポンプが設けられ、循環管中の水流を外槽の自己循環出水口から三方管方向に流動させることを特徴とする、請求項１から４のいずれか１項に記載の洗濯機。
【請求項６】
外槽の底部に出水口を有し、前記出水口は第１水ポンプを有する管路を介して凝集槽の取水口と通じ；凝集槽の底部に戻り口および排水口を有し、戻り口は第２水ポンプを有する管路を介してろ過装置の取水口と通じ；排水口は排水弁を有する管路を介して洗濯機外部の排水口部分に延伸することを特徴とする、請求項５に記載の洗濯機。
【請求項７】
請求項１から６のいずれか１項に記載の洗濯機を採用した制御方法であって、洗濯機の洗濯過程において、逆流防止構造の作用により、洗濯水は外槽と循環管との間で循環流動し；洗濯完了後、洗濯水を凝集処理し、凝集処理が完了して、基準に達した凝集水を外槽および／または循環管中に流入させ、洗濯機のすすぎに使用することを特徴とする制御方法。
【請求項８】
洗濯過程において、外槽の自己循環出水口と自己循環取水口とは循環管により通じ、逆流防止構造の作用により、循環管から凝集槽への流れは遮断され；
凝集処理の終了過程において、外槽の自己循環出水口および自己循環取水口は循環管により通じ、逆流防止構造の作用により、凝集槽は循環管と通じ、凝集処理の基準に達した凝集水を外槽中に流入させることを特徴とする、請求項７に記載の制御方法。
【請求項９】
凝集処理後の凝集水は、ろ過処理により凝集水中に残った凝集物がろ過され、ろ過後の清浄水が外槽および／または循環管中に流入することを特徴とする、請求項７または８に記載の制御方法。
【請求項１０】
逆流防止構造の作用により、水流はろ過装置出水口から外槽、循環管への単一方向のみ
で流動することができることを特徴とする、請求項９に記載の制御方法。
【発明の詳細な説明】
【技術分野】
【０００１】
本発明は、洗濯装置分野の自動洗浄洗濯機に関し、特に自己循環洗濯水を凝集処理し、自動洗浄処理を行うことができる洗濯機に関し、さらに上記洗濯機の制御方法に関する。
【背景技術】
【０００２】
人々の生活水準が向上するのに伴い、洗濯機はすでに日常生活における主要な家電の一つとなっている。洗濯機の衣類洗浄過程は主に、洗濯、すすぎ、脱水の数段階を含み、洗濯段階で洗濯機は取水し、洗剤で衣類を洗濯する。すすぎ段階に進むと、汚れおよび残った洗剤をすすぐため、より多くの水を取水するか、またはより多くの回数で衣類をすすぐ必要があり、これは必然的に大量の水資源を浪費する。たとえ節水のドラム式洗濯機であっても、衣類をすすぐため、少なくとも２回のすすぎが必要であり、この過程は少なくとも３０Ｌ以上の水道水を消費する。衣類の汚れが比較的少ないか、または投入する洗剤が比較的少なく、２回できれいにすすぐことができることもあるが、ユーザが３回のすすぎを選択することにより、必然的に水資源の浪費となる。例えば６Ｋｇの全自動洗濯機は、一般的に２回すすぐと基本的に１００リットル前後の水を使用する。どのようにして衣類を洗浄するのと同時に、節水、節電を行うかは、常に消費者の関心を集める焦点の１つである。
【０００３】
したがって、出願人は以前に中国特許出願番号第２０１３１０３５６４２８．５号を出願している。循環水処理機能を有する洗濯機およびその制御方法であり、洗濯機は外槽と、外槽内に設けられる洗濯構造と、外槽の下方に設けられる水の凝集処理装置とを含む。前記水の凝集処理装置は凝集処理ユニットおよびろ過ユニットを含み、凝集処理ユニットは、外槽と通じる凝集槽と、凝集槽内に凝集剤を投入する凝集剤投入装置とを含み、外槽から凝集槽内に排水して凝集処理を行う。ろ過ユニットはろ過容器と、ろ過容器内に設けられるフィルタとを含み、ろ過容器はそれぞれ凝集槽および外槽と通じる。凝集槽内の凝集処理後の水をろ過した後、外槽内に排出して再度使用する。本出願は水の循環凝集ろ過処理を洗濯の終了まで行い、水を凝集処理装置に排出して凝集処理ユニットおよびろ過ユニットを洗浄し、最後に排出する。本出願は水資源を節約し、水の汚染を減少させ、環境を保護する特徴を有する。
【０００４】
既存の凝集槽では、洗濯水またはすすぎ水を凝集処理すると、水中の汚れおよび凝集剤が反応して凝集物が生成される。生成された凝集物は沈殿するか、または浮かび、これにより水および汚染物を分離して、洗濯水および／またはすすぎ水を浄化する目的を達成する。
【０００５】
さらに、洗濯過程において、洗濯水を上下に循環流動させる洗濯機は、循環水流によって洗濯液および衣類の接触がより充分になり、洗濯効率が向上する。したがって、洗濯水の凝集処理による自動洗浄と、自己循環流動との２種の洗濯方式を、どのようにして同一の洗濯機に共に設けるかが、研究開発の焦点となっている。
【０００６】
このことを考慮して、特に本発明を示す。
【先行技術文献】
【特許文献】
【０００７】
【特許文献１】中国特許出願番号第２０１３１０３５６４２８．５号明細書
【発明の概要】
【発明が解決しようとする課題】
【０００８】
本発明の目的は既存技術の不足を克服することであり、自己循環凝集洗濯機を提供し、洗濯水を自己循環流動させて洗濯を行い、凝集により自動洗浄する目的を実現する。本発明のもう１つの目的は、逆流防止構造を提供して、循環水流と凝集槽との間を自動的に隔離し、逆流を防止する目的を実現することである。
【課題を解決するための手段】
【０００９】
該目的を実現するため、本発明は以下の技術案を採用する。
自己循環凝集洗濯機は、外槽と、外槽内に設けられる洗濯構造と、外槽外部に設けられる水の凝集処理装置とを含み、前記水の凝集処理装置は、外槽から排出される水を凝集処理する凝集槽を含む。洗濯機に外槽中の洗濯水を下から上へ自己循環させる循環管がさらに設けられ；循環管の一端は三方管を介して凝集槽の戻り口と、外槽上部の自己循環取水口とにそれぞれ通じ、三方管と凝集槽の戻り口との間に、凝集水の逆流を防止する逆流防止構造が設けられることを特徴とする。
【００１０】
さらに、水の凝集処理装置は、凝集処理後の水をろ過して、凝集物を分離するろ過装置をさらに含む。ろ過装置の出水口は三方管と通じ、前記逆流防止構造はろ過装置の出水口部分に設けられる。
【００１１】
さらに、前記逆流防止構造は逆流防止ガスケットであり、逆流防止ガスケットは円環状を呈し、ろ過装置出水口の管壁に嵌着される取付部と、円盤状を呈し、ろ過装置出水口を覆う逆止部とを含み、取付部および逆止部は接続柱により接続される。前記接続柱は弾性変形することができる可撓性の材質であり、ろ過装置中の水流の圧力作用により、逆止部は三方管方向に移動し、水流がろ過装置と三方管との間で単一方向に流動する目的を達成する。
【００１２】
さらに、前記逆流防止構造は、出水口の導通、遮断を制御する制御弁であるか、または出水口の水流方向をろ過装置から三方管方向に流動するように制御する逆止弁である。
【００１３】
さらに、前記循環管の一端は外槽底部の自己循環出水口と通じ、もう一端は三方管を介して外槽上部の自己循環取水口と、ろ過装置の出水口とにそれぞれ通じる。前記循環管に、自己循環水流に動力を提供する循環ポンプが設けられ、循環管中の水流を外槽の自己循環出水口から三方管方向に流動させる。
【００１４】
さらに、外槽の底部に出水口を有し、前記出水口は第１水ポンプを有する管路を介して凝集槽の取水口と通じ、外槽中の水を第１水ポンプにより凝集槽中に流入させる。凝集槽の底部に戻り口および排水口を有し、戻り口は第２水ポンプを有する管路を介してろ過装置の取水口と通じ、凝集槽中の凝集処理後の水を、第２水ポンプを介してろ過装置中に流入させる。排水口は排水弁を有する管路を介して洗濯機外部の排水口部分に延伸し、洗濯完了後の、または凝集後、基準に達していない洗濯水を外部に排出する。
【００１５】
本発明の別の目的は、上記のいずれか１つに記載の洗濯機を採用した制御方法を提供することである。洗濯機の洗濯過程において、逆流防止構造の作用により、洗濯水は外槽と循環管との間で循環流動し；洗濯完了後、洗濯水を凝集処理し、凝集処理が完了して、基準に達した凝集水を外槽および／または循環管中に流入させ、洗濯機のすすぎに使用することを特徴とする。
【００１６】
さらに、洗濯過程において、外槽の自己循環出水口および自己循環取水口は循環管により通じ、逆流防止構造の作用により、凝集槽および循環管は切断される。凝集処理の終了過程において、外槽の自己循環出水口および自己循環取水口は循環管により通じ、逆流防止構造の作用により、凝集槽は循環管と通じ、凝集処理の基準に達した凝集水を外槽中に流入させる。
【００１７】
さらに、凝集処理後の凝集水は、ろ過処理により凝集水中に残った凝集物がろ過され、ろ過後の清浄水が外槽および／または循環管中に流入する。
【００１８】
さらに、逆流防止構造の作用により、水流はろ過装置の出水口から外槽、循環管への単一方向のみで流動することができる。
【発明の効果】
【００１９】
本発明の前記技術案を採用すると、以下の有益な効果がもたらされる。
１、上記設置および方法により、洗濯機は凝集による自動洗浄処理および循環水による洗濯機能を同時に備えた。さらに、三方管装置によって、凝集水還流装置を循環管に統合することにより、洗濯機の構造はよりコンパクトになり、洗濯機の一体化の程度を高めた。
２、凝集槽および水槽の間の戻り管路に逆流防止構造を設置することにより、自己循環水流が凝集槽中に逆流することはない。これにより、水の凝集処理および循環水による洗濯機能は相互に干渉しない。
３、出水口部分に弾性的に開閉することができる逆流防止ガスケットを設置することにより、逆流防止ガスケットの逆止部が、水流の圧力作用下で出水口を開成または閉成し、出水口部分の水流が三方管方向への単一方向のみで流動することができる目的を実現した。
４、本出願の前記逆流防止構造は、ろ過装置を設置しない凝集自動洗浄洗濯機にも同様に適用される。これにより循環水による洗濯機能を同様に統合することができ、本発明の前記方法および装置の適用性を高め、製品の多様性を高める目的を達成する。
５、本発明の構造は簡単で、効果は顕著であり、幅広い使用に適している。
【００２０】
以下、図を組み合わせて、本発明の発明を実施するための形態について、さらに詳細に記載する。
【図面の簡単な説明】
【００２１】
【図１】図１は、本発明の一実施例における洗濯機の構造概要図である。
【図２】図２は、本発明の別の実施例における洗濯機の構造概要図である。
【図３】図３は、本発明のさらに別の実施例における洗濯機の構造概要図である。
【図４】図４は、本発明のさらに別の実施例における洗濯機の構造概要図である。
【図５】図５は、本発明の実施例における洗濯機循環管の接続構造の概要図である。
【図６】図６は、本発明の実施例におけるろ過装置の構造概要図である。
【図７】図７は、本発明の実施例における逆流防止ガスケットの構造概要図である。
【発明を実施するための形態】
【００２２】
以下、図を組み合わせて、本発明についてさらに説明する。
【００２３】
図１から図４に示すように、本発明の実施例の前記洗濯機は、その内部に既存の洗濯機構造が設けられ、さらに水の凝集処理装置が設けられ、洗濯機構造は外槽２と、外槽２内に設けられる洗濯構造と、取水システムとを含む。外槽底部および上部は、それぞれダンパおよびサスペンションスプリングを介して筐体のフレームと接続され、取水システムは取水弁１を有する取水構造と、洗剤自動投入装置１１とを含む。前記外槽２は洗濯水を収容する収容構造であり、外槽内に設けられる洗濯構造は、内槽および／またはパルセータでよい。外槽２の外部に循環管１６が設けられ、循環管１６中に循環ポンプ４が設けられ、これにより洗濯水は外槽２と循環管１６との間で自己循環流動し、洗濯機の洗濯効率が向上する。
【００２４】
本発明の実施例の前記水の凝集処理装置は、少なくとも凝集処理ユニットを含む。凝集処理ユニットは、外槽２と通じる凝集槽７と、凝集槽７内に凝集剤を投入する凝集剤投入装置８とを含む。外槽２から凝集槽７に排水して凝集処理し、凝集処理後に基準に達した清浄水を外槽中に流入させて衣類の洗濯に使用する。これにより、洗濯水および／またはすすぎ水を循環自動洗浄して利用する目的を実現する。
【００２５】
図１から図５に示すように、本発明の実施例において、洗濯機に外槽２中の洗濯水を下から上に自己循環させる循環管１６がさらに設けられる。循環管１６の一端は外槽２下部の自己循環出水口と通じ、もう一端は三方管１０を介して凝集槽７の出水口と、外槽２の自己循環取水口とにそれぞれ通じ、三方管１０と凝集槽７の出水口との間に、凝集水が凝集槽７に逆流するのを防止する逆流防止構造１２が設けられる。前記循環管１６に、自己循環水流に動力を提供する循環ポンプ４が設けられ、循環管１６中の水流を外槽２の自己循環出水口から三方管１０方向に流動させる。
【００２６】
本発明の実施例において、洗濯機の洗濯過程で、洗濯水は外槽２および循環管１６の間で循環流動する。洗濯完了後、洗濯水は凝集槽７中に流入して凝集処理される。凝集処理が完了し、基準に達した凝集水は逆流防止構造１２、循環管１６を介して外槽２中に流入し、洗濯機のすすぎに使用される。
【００２７】
上記設置および方法により、洗濯機は凝集による自動洗浄処理および循環水による洗濯機能を同時に備えた。さらに、凝集水還流装置を循環管に統合することにより、洗濯機の構造はよりコンパクトになり、洗濯機の一体化の程度を高めた。特に、逆流防止構造を設置することにより、自己循環水流は凝集槽中に逆流することはなく、これにより水の凝集処理および循環水による洗濯機能は相互に干渉しない。
【実施例】
【００２８】
実施例１
図１から図３に示すように、本実施例において、水の凝集処理装置はさらにろ過装置９を含むことができる。ろ過装置９は凝集処理後の凝集水をろ過処理し、凝集水中に残った凝集物をろ過して分離する。ろ過装置９の出水口は三方管１０と通じ、これによりろ過後の清浄水は三方管１０を介して外槽２および循環管１６中に流入する。
【００２９】
本実施例において、前記逆流防止構造１２はろ過装置９の出水口部分に設けられ、三方管１０を通る自己循環水流はろ過装置９中に流入することはできない。ろ過装置９中の凝集、ろ過後の清浄水は、三方管を経て外槽２および循環管１６中に流入することができ、凝集による自動洗浄処理および循環水による洗濯が相互に干渉しない目的を実現した。
【００３０】
図１から図４に示すように、本実施例において、外槽２の上部に自己循環取水口２４および取水口２３を有し、底部に出水口２１および自己循環出水口２２を有する。好ましくは、前記自己循環取水口２４および取水口２３は同じ構造であり、これにより洗濯機の構造を簡略化する。凝集槽７の底部にドレン口７３が設けられ、下部に戻り口７２が設けられ、上部に取水口７１が設けられる。
【００３１】
本実施例において、外槽２の出水口２１は、第１水ポンプ３を有する管路を介して凝集槽７の取水口７１と通じ、凝集槽７の戻り口７２は、第２水ポンプ５を有する管路を介してろ過装置９の取水口９１と通じ、ろ過装置９の出水口９２は、三方管１０を介して外槽２の自己循環取水口２４と通じ、これにより洗濯水が外槽２および凝集槽７の間を制御可能に循環する回路が形成される。前記凝集槽７のドレン口７３は、排水弁６を有する管路を介して洗濯機外部に延伸し、洗濯完了後の、または凝集処理後に基準に達していない汚れた水および凝集物を外部に排出する。
【００３２】
実施例２
図１、図６および図７に示すように、本実施例において、前記逆流防止構造１２は逆流防止ガスケット１５である。逆流防止ガスケット１５は円環状を呈し、ろ過装置９出水口の管壁に嵌着される取付部１５２と、円盤状を呈し、ろ過装置９出水口を覆う逆止部１５１とを含み、取付部１５２および逆止部１５１は接続柱１５３により一体部品を構成する。ろ過装置出水口部分に逆流防止ガスケット１５を設置することにより、凝集処理後のろ過装置９中における清浄水の圧力は逆止部１５１を押し開くことができ、三方管を介して外槽および循環管中に流入する。同時に、洗濯機の洗濯過程において、逆止部１５１は出水口を覆う。これにより循環管１６中の水は外槽２中に流入することしかできず、ろ過装置９中に逆流することができず、凝集反応および自己循環による洗濯が相互に干渉しないことを保証した。
【００３３】
本実施例において、前記接続柱１５３は弾性変形することができる可撓性の材質であり、接続柱１５３の両端はそれぞれ逆止部１５１および取付部１５２の外周と接続される。取付部１５２は、逆止部１５１に対して三方管１０から離れて設置される。逆止部１５１はろ過装置９中の水流の圧力作用により三方管１０方向に移動し、水流がろ過装置９および三方管１０の間で単一方向に流動する目的を達成する。
【００３４】
上記構造の逆流防止ガスケットを設置することにより、逆止部は水流の圧力作用下で出水口を開成または閉成し、出水口部分の水流が三方管方向に単一方向のみで流動することができる目的を実現した。
【００３５】
本実施例において、図２に示すように、前記逆流防止構造１２をろ過装置９出水口の水流方向を制御する逆止弁１３とすることもできる。逆止弁１３の作用により、水流はろ過装置９出水口から三方管１０への単一方向のみで流動することができる。三方管１０とろ過装置９出水口との間に逆止弁を設置することにより、上記逆流防止ガスケット１５と同じ技術効果に達し、これにより水の凝集処理および循環水による洗濯機能は相互に干渉しない。
【００３６】
実施例３
図３に示すように、本実施例において、前記逆流防止構造１２はろ過装置９出水口および三方管１０の間の水流の導通、遮断を制御する制御弁１４である。制御弁１４は出水口を制御可能に開成または閉成して、凝集水の逆流に対する制御を実現する。
【００３７】
本実施例において、洗濯機の具体的な動作方式は以下の通りである。
１）洗濯過程において、制御弁を閉成することにより、外槽の自己循環出水口および自己循環取水口は循環管により通じ、凝集槽および循環管は切断される。
２）凝集処理の終了過程において、制御弁を開成することにより、外槽の自己循環出水口および自己循環取水口は循環管により通じ、さらに凝集槽は循環管と通じ、凝集処理の基準に達した凝集水を外槽中に流入させる。
３）洗濯機のすすぎが完了するか、または凝集処理が完了した後に、凝集水が基準に達していないと、外槽中の洗濯水および凝集槽中の凝集水は、すべて洗濯機の外部に排出される。
【００３８】
上記設置および方法により、三方管中の水流の流動方向に対する制御を同様に実現することができ、洗濯機に、凝集反応および自己循環による洗濯を統合する目的を達成する。
【００３９】
実施例４
図４に示すように、本実施例において、凝集物および清浄水の分離を実現するのに、ろ過装置を採用しなくてもよい。例えば、凝集槽７中に水位センサ１７を設置することにより、凝集槽７中の液面を終始一定の高さに保持する。これにより凝集槽の水面部分に浮いた凝集物は終始凝集槽中に残り、凝集水中の凝集物を除去する目的を達成した。
【００４０】
図４に示すように、本実施例において、凝集槽７の戻り口を直接三方管１０につなげることにより、凝集処理完了後の清浄水は直接三方管１０を介して外槽２中に流入し、洗濯機のすすぎに使用される。本実施例において、前記逆流防止構造１２は凝集槽７の戻り口と三方管１０との間の管路に設けられ、これにより循環管部分の水が凝集槽に逆流するのを防止する。好ましくは、前記逆流防止構造１２は三方管１０と第２水ポンプ５との間の管路に設けられる。さらに好ましくは、前記逆流防止構造１２を、三方管１０の第２水ポンプ５と通じる開口部分に設けることにより、循環水が三方管１０と第２水ポンプ５との間の管路に流入するのを防止する。
【００４１】
上記設置により、ろ過装置を設置しない凝集自動洗浄洗濯機は、循環水による洗濯機能を同様に統合することができる。これにより、本発明の前記方法および装置の適用性を高め、製品の多様性を高める目的を達成する。
【００４２】
以上の記載は、本発明の好ましい実施方式に過ぎない。当業者は本発明の原理を逸脱しない前提で、数種の変形および改良を行うことができるが、これも本発明の保護範囲と見なすべきであると指摘しなければならない。
【符号の説明】
【００４３】
１  取水弁
２  外槽
３  第１水ポンプ
４  循環ポンプ
５  第２水ポンプ
６  排水弁
７  凝集槽
８  凝集剤投入装置
９  ろ過装置
１０  三方管
１１  洗剤自動投入装置
１２  逆流防止構造
１３  逆止弁
１４  制御弁
１５  逆流防止ガスケット
１６  循環管
１７  水位センサ
１５１  逆止部
１５２  取付部
１５３  接続柱
【図１】
0006635318.tif 000002
【図２】
0006635318.tif 000003
【図３】
0006635318.tif 000004
【図４】
0006635318.tif 000005
【図５】
0006635318.tif 000006
【図６】
0006635318.tif 000007
【図７】
0006635318.tif 000008